(57)【特許請求の範囲】
【請求項１】
ＩＣカードを電話機のカード挿入口に挿入し、ＩＣカードの端子と電話機のコンタクトピンとを接触させて利用する、ＩＣカード利用システムにおける電話機であって、ＩＣカードから入力された電気信号レベルがグランドレベルからハイレベルになるまで、又はハイレベルからグランドレベルになるまでの時間を測定する手段と、測定された時間と比較するための基準値を記憶するための記憶手段とを有し、前記測定された時間が、前記記憶されている基準値よりも小さい場合は正常ＩＣカードと判断し、基準値よりも大きい場合は不正カードと判断することを特徴とする電話機。
【発明の詳細な説明】
【０００１】
【産業上の利用分野】
本発明は，ＩＣカードシステムにおける不正使用に関し、詳しくは、外部への電気信号漏洩や外部からの不正な信号の入力を防止できる電話機（リーダライタ）に関する。
【０００２】
【従来の技術】
ＩＣカードは新しい情報記録媒体として、特に磁気カードに代わる情報記録媒体として注目を集めており次第に普及しつつある。
ＩＣカードは小型のカードにメモリ及び電極などを一体化したＩＣモジュールが搭載されたものであり、従来より、電話機にＩＣカードを挿入して利用するＩＣカードシステムにおけるＩＣプリペイドカード等として使用されている。
ＩＣカードを用いて電話機を利用するＩＣカードシステムは、ユーザが必要に応じてＩＣプリペイドカードを購入し、公衆電話機にカードをセットし電話をかけるもので、リーダライタ（Ｒ／Ｗ）である公衆電話機は電気信号によりＩＣカードのメモリ内の度数を読み出し、残度数に応じて通話の継続切断を制御している。
そして、公衆電話機にカードをセットし電話をかける場合、ＩＣカードの端子面と電話機側のコンタクトピンの接続を行うもので、この際、電話機側は、ＩＣカートから送られてくる電気信号（データ）の受信を、或る一定の時間おきに、Ｉ／Ｏ  Ｌｉｎｅの状態をサンプリングすることにより行っていた。
この為、図４に示すような、ＩＣカードの端子に不正配線を接続したＩＣブレッドボード（評価ボード）のようなものを用いても、使用できてしまうという問題があった。
これに対応する為、従来、このシステムの場合、カードの端子部に不正配線を接続させて電気信号を外部に読み出す電気信号の漏洩を防ぐ目的で、不正配線を検知するための蓋を電話機（リーダライタ）の入口に設ける方法が採られていた。
【０００３】
【発明が解決しようとする課題】
しかし、この従来の方法では、公衆電話機には蓋の開閉のための可動部が必要となり、故障が発生しやすいという問題や、蓋を壊すことによって容易に不正なカードの挿入が可能となってしまう問題があった。
また、ＩＣカードからの不正配線自体がきわめて薄い場合には、防ぐことができない等の問題もあった。
本発明は、このような状況のもと、簡単な構造で故障を発生させず、且つ、外部への電気信号漏洩や外部からの不正電気信号の入力を防止できる電話機（リーダライタ）を提供しようとするものである。
【０００４】
【課題を解決するための手段】
本発明の電話機は、ＩＣカードを電話機のカード挿入口に挿入し、ＩＣカードの端子と電話機のコンタクトピンとを接触させて利用する、ＩＣカード利用システムにおける電話機であって、ＩＣカードから入力された電気信号（データ）レベルがグランドレベルからハイレベルになるまで、又はハイレベルからグランドレベルになるまでの時間を測定する手段と、測定された時間と比較するための基準値を記憶するための記憶手段とを有し、前記測定された時間が、前記記憶されている基準値よりも小さい場合は正常ＩＣカードと判断し、基準値よりも大きい場合は不正カードと判断することを特徴とするものである。
【０００５】
【作用】
本発明の電話機は、このようにすることにより、簡単な構造で故障を発生させずに不正配線の有無の判定ができ、外部への電気信号漏洩や外部からの不正電気信号の入力を防止できるものとしている。
詳しくは、図４に示すＩＣブレッドボードを使用し、ＩＣカードに不正配線を接続したもので不正に電話機を使用しようとした場合には、不正配線用のワイヤー（配線）の容量分により、正規のカードを使用した場合に比べ電気信号の波形がなまる為、グランドレベルからハイレベルの状態になるまでの時間、又は、ハイレベルからグランドレベルの状態になるまでの時間が、正規のＩＣカードを用いた場合よりも長くなることを利用するもので、測定された前記時間と、正規のカードを使用した場合の相当する時間から得た所定の基準時間とを、比較することにより、不正配線の有無を判定できるものとしている。
【０００６】
【実施例】
本発明の電話機の実施例を挙げ、図にもとづいて説明する。
図１は実施例電話機の要部を示す概略図で、図２は不正配線の有無を判定を説明するための図である。
図１中、１００は公衆電話機、１０２はコンタクト、１０３はコンタクトピン、１０４はカード挿入口、１０７Ａ、１０７Ｂはカード回転支持部、１１０はＩＣカードであり、１２０は時間測定回路、１２１は０（Ｖ）検出回路、１２２は５（Ｖ）検出回路、１３０は比較演算器で、１４０は基準時間記憶メモリである。
【０００７】
本実施例の公衆電話機１００は、図１に示すように、ＩＣカード１１０を公衆電話機１００のカード挿入口１０４から挿入した後、ＩＣカード１１０の端子部と公衆電話機１００のコンタクト１０２の端子ピン１０３とを接触させて使用するＩＣカード利用の電話機システムの電話機で、ＩＣカード１１０を所定の位置にセットして使用する際に、ＩＣカードに不正配線が有るか否かを判断するもので、不正配線が有りと判断された場合には、ＩＣカードとの電気信号の授受を止め（カードを排出し）、電話機の外部への電気信号の漏洩や外部からの信号の入力を防止しようとするものである。
本実施例電話機においては、ＩＣカードを所定の位置にセットし使用する際に、コンタクト１０２の端子ピン１０３側から０（Ｖ）検出回路１２１によりＩＣカードからの電気信号の０（Ｖ）検出を行うとともに、５（Ｖ）検出回路１２２によりＩＣカードからの電気信号の５（Ｖ）検出を行う。
時間測定回路１２０は、上記電気信号のレベル検出に際し、グランドレベルよりハイレベルに要する時間ないしハイレベルからグランドレベルに要する時間をカウントするものである。
基準時間記憶メモリ１４０は、不正配線の有無を判定するための基準となる時間を入力して比較データとして用いるために、基準時間を記憶させておくためのメモリである。
比較演算器１３０は、時間測定回路１２０から得られたＩＣカードからの電気信号のレベルの変化に要する時間と、基準時間記憶メモリ１４０からの基準時間とを比較するものであり、時間測定回路１２０から得られた時間が、基準時間より大である場合に、ＩＣカードに不良配線があると判断するものである。
【０００８】
電話機とＩＣカードとの電気信号の授受は、電気信号レベルをグランドレベルからハイレベル、又は、ハイレベルからグランドレベルへ信号レベルを変える操作によりデジタル信号として行うが、ＩＣカードを使用した場合、グランドレベルは０（Ｖ）で、ハイレベルは５（Ｖ）である為、０（Ｖ）検出回路１２１、５（Ｖ）検出回路１２２によりそれぞれ、ＩＣカードからの電気信号がグランドレベルであるか、ハイレベルであるかを知ることができる。
そして、時間測定回路１２０は、例えばＩＣカードからの電気信号レベルがグランドレベルからハイレベルに変化する場合の要する時間を検出する際には、電気信号のレベルがグランドレベルよりレベルが高くなった時点を０（Ｖ）検出回路により知り、５（Ｖ）に達した時点を５（Ｖ）検出回路より知るものであり、時間測定回路１２０により、この間の時間をカウントするものである。
一方、基準時間記憶メモリ１４０は、正規のＩＣカードを用いた場合におけるＩＣカードからの電気信号を電話機が受け取る際の、電気信号変化時間、即ち、ＩＣカードからの電気信号レベルがグランドレベルからハイレベルに変化する時間、ないしハイレベルからグランドレベルへ変化する時間から割り出した、判定に適当な値を基準時間としたものを、予め入力してメモリ内に記憶させておくもので、この基準時間と時間測定回路１２０から得られた電気信号の変化時間とを比較演算器により比較する。
【０００９】
図４に示すブレッドボードを使用し、ＩＣカードに不正配線を設けたもので不正に電話機を使用しようとした場合には、不正配線用のワイヤー（配線）の容量分により、正規のカードを使用した場合に比べ電気信号の波形がなまる為、電気信号のレベル変化時間が正規のＩＣカードを用いた場合に比べ長くなる。
この為、図２に示すように、正規ＩＣカード、不良配線を有する不正カードとを、それぞれ本実施例電話機にて使用すると、電気信号のレベルがハイレベルからグランドレベルへと変化する際には、図２（ｂ）に示す不正配線を有する不正カードの場合の信号レベル変化に要する時間ｔ2 は、図２（ａ）に示す正規のカードの場合の信号レベル変化に要する時間ｔ1 に比べ大となる。
図２において、Ａ１、Ａ２の時点は５（Ｖ）検出回路１２２により検出され、Ｂ１、Ｂ２の時点は０（Ｖ）検出回路１２１により検出され、時間測定回路（タイマー）によりこの間の時間を求められる。
したがって、ｔ1 ＜基準時間ｔS ＜ｔ2 なる関係を満たす基準時間ｔS を基準時間記憶メモリ１４０に入力して記憶させておくと、不正配線を有する不正カードを使用した場合には、いつも基準時間ｔS ＜ｔ2 となり、正規のカードを使用した場合にはいつもｔ1 ＜基準時間ｔS となるため、比較演算器１３０により、時間測定回路１２０から得られた時間と基準時間記憶メモリ１４０から得られた時間とを比較することにより、電話機を使用しているカードが不正配線を有する不正ＩＣカードであるか否かを判断することができる。
【００１０】
以下、本実施例電話機の動作の１例として、電気信号がハイレベルからグランドレベルへ変化する際に、不正配線の有無を判断し、通話の可否をきめる例を挙げ、図３のフロー図をもとにその動作を説明する。
まず、ＩＣカード挿入待ち（図３（ａ））の状態からＩＣカードが挿入されると、ＩＣカードの活性化処理を行い（図３（ｂ））、データ受信状態にセットされる。（図３（ｃ））
次いで、５（Ｖ）検出回路により、５（Ｖ）を検知した（図３（ｄ））後、更に５（Ｖ）検出回路により、５（Ｖ）を検知を繰り返し（図３（ｅ））、５（Ｖ）が検知されなくなった時点でタイマーをスタートする。（図３（ｆ））
次いで、０（Ｖ）検出回路により、０（Ｖ）を検知を所定の時間サイクルで行い（図３（ｇ））、０（Ｖ）が検知された場合にタイマーを停止する。（図３（ｈ））
この後、タイマーを停止により得られた測定時間と、予め基準時間メモリ１４０に入力されていた基準時間とを比較する。（図３（ｉ））
比較の結果測定時間が基準時間よりも大きい場合には、電話機に使用されているＩＣカードを不正カードとして排出する。（図３（ｊ））
また比較の結果測定時間が基準時間以下の場合には、使用されているＩＣカードを正規のカードと判定して通話を可能状態とする。（図３（ｋ））
【発明の効果】
本発明は、上記のように、外部への電気信号漏洩や外部からの不正電気信号の入力を防止可能なものとしている。
又、ＩＣカードの良否を判定する回路（手段）は、比較的簡単に設けることができ、従来の公衆電話機のような機械的な故障を発生させない。
【図面の簡単な説明】
【図１】実施例の電話機の要部の概略図
【図２】不正配線の有無判定を説明するための図
【図３】本実施例電話機の動作の１フロー図
【図４】不正配線を有するＩＣカードの例を示す図
【符号の説明】
１００              電話機
１０２              コンタクト
１０３              コンタクトピン
１０４              カード挿入口
１０７Ａ、１０７Ｂ  カード回転支持部
１１０              ＩＣカード
１２０              時間測定回路
１２１              ０（Ｖ）検出回路
１２２              ５（Ｖ）検出回路
１３０              比較演算器
１４０              基準時間記憶メモリ
【図１】
0003654938.tif 000002
【図２】
0003654938.tif 000003
【図３】
0003654938.tif 000004
【図４】
0003654938.tif 000005